(57)【要約】  複数の貫通孔を形成した基板と、中央に前記基盤の貫通孔と略一致する貫通孔を有し、基板からの距離の増大とともに直径が増大する形状の集音部とを有する防音板。前記集音部が前記基板の両面に設けられた前記防音版。あるいは、前記防音板であって、複数の貫通孔を形成した基板と、中空軸部材と、中空軸部材の端部に固定された集音部であって、中央に当該中空軸部材の中空部と略一致する貫通孔を有し、中空軸部材からの距離の増大とともに直径が増大する形状の集音部とを有する減衰エレメントを有し、前記中空軸部材が前記貫通孔と略一致するように基板に設けられた防音版。
2012086680.tif 000002
【特許請求の範囲】
【請求項１】
複数の貫通孔を形成した基板と、
中央に前記基盤の貫通孔と略一致する貫通孔を有し、基板からの距離の増大とともに直径が増大する形状の集音部とを有する防音板。
【請求項２】
前記集音部が前記基板の両面に設けられた請求項１に記載の防音版。
【請求項３】
複数の貫通孔を形成した基板と、
中空軸部材と、中空軸部材の端部に固定された集音部であって、中央に当該中空軸部材の中空部と略一致する貫通孔を有し、中空軸部材からの距離の増大とともに直径が増大する形状の集音部とを有する減衰エレメントを有し、
前記中空軸部材が前記貫通孔と略一致するように基板に設けられた請求項１または２に記載の防音版。
【請求項４】
前記減衰エレメントは、中空軸部材と、中空軸部材の両端に設けられた一対の集音部とを有する請求項３に記載の防音版。
【請求項５】
前記減衰エレメントが前記基板の一方の側に設けられた請求項３または４に記載の防音版。
【請求項６】
前記中空軸部材が基板を貫通し、中空軸部材の少なくとも一端に集音部が設けられた請求項３ないし５の何れかに記載の防音版。
【請求項７】
前記基板は互いに平行な第１と第２の基板を含み、前記中空軸部材は前記第１と第２の基板を貫通して設けられている請求項１ないし６の何れかに記載の防音版。
【請求項８】
前記基板は互いに平行な第１と第２の基板を含み、前記集音部は２つの基板の外に突出しないよう第１と第２の基板の表面の間に収容される請求項１ないし７の何れかに記載の防音版。
【請求項９】
前記集音部の形状は、球面状、楕円面状、パラボリック、円錐状の何れかである請求項１ないし８の何れかに記載の防音版。
【請求項１０】
前記集音部の形状は、２次元における円弧、楕円、放物線、双曲線、直線を二次元面と垂直方向に移動させた軌跡からなる３次元面であって、縁部は矩形である請求項１ないし９の何れかに記載の防音版。
【請求項１１】
前記集音部は、互いの縁部が接して基板の面積を実質的にすべて覆うように設けられた請求項１０に記載の防音版。
【発明の詳細な説明】
【技術分野】
【０００１】
本発明は、空気の流通を阻害せず、同時に透過音響エネルギーを有効に低減する防音板に関するものである。
【背景技術】
【０００２】
室内や室外からの騒音を防音する方法として壁、扉、窓などで遮断する方法が一般的である。また、騒音が特定の領域内で発生している場合は、該当する領域を密閉する方法がとられる。その為に、扉や窓には密閉性の高いサッシの使用や二重構造にする方法、或いは吸音材料を使用する方法がある。何れにしても、一般には、騒音を発する領域と防音したい領域間では相互間の空気の流通が必然的に遮断されることになっていた。【０００３】
一方で、気体流通が可能な防音方法としては、特開第２００３−２１３７３号公報に見られる外気自然循環による防音・省エネルギー保険居室システムのように、空気流通孔のある箱筒を設け、空気流通孔の中に吸音材を詰め、更に箱内に騒音を軽減する為の複雑な空気流通路を設けた例や、特開平第１０−３９８７５公報の遮音材構造および空気調和機の防音構造のように、多孔質の貫通孔に加えて発泡材を使用したものがある。【０００４】
或いは、エンジンの排気音対策用のマフラーや銃器の発射音を軽減する為の消音器もしくはサイレンサーのような方法もある。特開第２００６−２５００２２号公報の内燃機関の排気音低減装置およびそれを用いた排気音の調律方法、では、一定の長さ以上の気体の流通経路を持ち、且つ気体の流れを複雑して遮音効果を上げるものである。【０００５】
更には、消音スピーカー、若しくはノイズキャンセラーと呼ばれる、騒音の音声信号を操作して消音する方法も知られている。特開第２００２−３６７２９８号公報のノイズキャンセラー装置及びノイズキャンセル方法にその例が見られる。
【先行技術文献】
【特許文献】
【０００６】
【特許文献１】特開２００３−２１３７３号公報
【特許文献２】特開平１０−３９８７５号公報
【特許文献３】特開２００６−２５００２２号公報
【特許文献４】特開２００２−３６７２９８号公報
【発明の概要】
【発明が解決しようとする課題】
【０００７】
前記の密閉性の高いサッシや２重構造による窓や扉を設置して、オフィスや居住場所を道路や空港等騒音のある外部と遮断する従来の防音方法では、外気が過ごしやすい温度でも室内を適温にする為の空調が必要となり、地球温暖化を促進する要因となっている電気エネルギー消費を削減することができない。騒音が室内にあり、外部に対して防音したい場合でも同様であり、空調の為の電気エネルギーを消費する。【０００８】
また、前記の外気自然循環による防音・省エネルギー居室システム（特開２００３−２１３７３号公報）では、窓側に設けた空気流通孔のある箱筒内に吸音材を詰める為、充分な自然風の流通が得難く、空調が不要となる程の効果は期待できない。また、複雑な空気流通経路が必要な為、サイズが大きくなり、扉や窓などの広い面積には構造上適用が難しい。更に前記、遮音材構造および空気調和機の防音構造（特許公開平１０−３９８７５）と同様、充分な自然風が得られないことに加え、自然光が入る透明な構造にすることができない為に、室内には日中でも照明が必要になり、省エネルギーどころか、逆効果になる可能性もある。【０００９】
マフラーやサイレンサーは、気体の流れの方向が明確で、且つ自然風でない一定の速さをもつことを前提としていることや、消音の為に気体の流通経路を一定以上の長さにする必要がある為、オフィス及び住居の扉や窓への適用は難しい。【００１０】
掃除機やコンピュータ等のファンを持つ機器の騒音対策としては、前記の特開第２００３−２１３７３公報やマフラー及びサイレンサーの適用が不可能ではないが、これらの装置が機器に較べて大きくなることや、空気の流通を図って機器の温度を一定以下に維持する機能がない為、実際の適用は難しい。コンピュータにおいては、ラック全体を密閉した防音ラックが市販されているが、ラック毎に空調が必要になり、且つ通常の開放型ラックに比較して高価になる為、コンピュータルーム内の全てのラックに適用されることは極めて稀である。また、防音ラックが使用できても、故障時の修理やソフトウェアのインストール時には、扉を開放して作業することになり、防音ラックの効果はなくなる。この場合は、通常のコンピュータルームと同じ環境になり、互いの声が聞き取り難い騒音となる為に作業に著しい支障を起こす。【００１１】
一方、ノイズキャンセラーは、空気の流通を確保することは可能になるが、装置が複雑である事や、新たな電源回路も必要となる為、製造コストを極限まで削減したい掃除機やコンピュータでは採用が困難となっている。従って、掃除機やコンピュータ単体の騒音対策としては、機器のファン部周辺に排気の流通が可能な布や網目構造の金属板を貼る以外に、有効な対策が殆どとられていない。【００１２】
本発明は、このような従来の構造が有していた問題を解決しようとするものであり、人工エネルギーの消費がなく、且つ外気との流通を可能にする防音板の実現を目的とするものである。
【課題を解決するための手段】
【００１３】
上記の課題を解決することを目的として、本発明は、
複数の貫通孔を形成した基板と、
中央に前記基盤の貫通孔と略一致する貫通孔を有し、基板からの距離の増大とともに直径が増大する形状の集音部とを有する防音板を提供する。【００１４】
本発明において基板とは、開口を塞ぐための板状の構造物であり、板ガラス、鉄板、コンクリート板、プレキャストコンクリート板、合板などからなるものであり、一般的に平板上の構造体であるが、開口をふさぐ目的を達成することができれば、板状の形状に限定されるものではなく、材料もまた上記に限定されない。貫通孔とは、基板の一方の側から他方の側に通じる穴であって、一定の直径を有する直線状の貫通孔が最も代表的なものであるが、貫通孔は折れ曲がった形状であってもよく、直径が途中で変化するものであってもよい。基板には複数の貫通孔が形成されるのが一般的であるが、貫通孔が１つである可能性を排除しない。【００１５】
集音部の、基板面に垂直な外側から見える表面（ここでは、「集音面」と称する）は、カルデラ状あるいはすり鉢状であり、集音部が全体としてこのような形状を有していてもよいが、集音部は全体として例えば円筒状であり、上記集音面がカルデラ状あるいはすり鉢状の凹部を形成する曲面であってもよい。また、集音面の典型的な形状は、基板に垂直な軸を中心とした回転形状であるが、四角垂、六角垂のように、前記軸の周りに角（継ぎ目）のある形状であってもよい。基板からの距離の増大とともに直径が増大する形状とは、円錐状の凹部などが代表的な例であるが、前記軸を含む断面図に示される集音面の形状は、基板から遠ざかるにつれて直系が増大する形状であればどのような曲線であってもよい。【００１６】
基板と集音部には基板を貫通して基板および集音部の両側の空間を連通させる貫通孔が形成されている結果、本発明にかかる防音板は空気の流通を阻害せず、同時に、後の段落で実験結果に基づいて説明するように顕著な防音効果（音圧レベルの提言効果）を発揮する。【００１７】
前記集音部は、前記基板の一方の側のみに設けられていてもよいし、前記基板の両側（両面）に設けられていてもよい。音源が防音板の一方の側にのみ存在し、一方から他方に伝播する騒音レベルの低減のみを目的する場合や、基板の一方の面を平滑にする必要がある場合など、集音部を基板の一方の側にのみ設ける必然性がある。【００１８】
本発明に基づく防音板は、複数の貫通孔を形成した基板と、
中空軸部材と、中空軸部材の端部に固定された集音部であって、中央に当該中空軸部材の中空部と略一致する貫通孔を有し、中空軸部材からの距離の増大とともに直径が増大する形状の集音部とを有する減衰エレメントを有し、
前記中空軸部材が前記貫通孔と略一致するように基板に設けられたものであってもよい。【００１９】
中空軸部材は、軸に沿って中央に貫通孔を有するパイプ状の部材が最も一般的であるが、断面あるいは中空部の直径が軸に沿って変化するものであってもよい。また、中空軸部材は直線状の部材でなくてもよい。中空軸部材の長さは、必要に応じて適宜決定することができ、実質的に長さがゼロの場合も含まれる。減衰エレメントは中空軸部材および中空軸部材の一端に設けられた集音部によって構成されるものでもよいし、中空部材の両端に設けられた一対の集音部を含むものであってもよい。【００２０】
前記減衰エレメントは、中空軸と、中空軸の両端に設けられた一対の集音部とを有するものであってもよく、その場合は、防音板を通過する両方向の音圧を低減する。【００２１】
前記減衰エレメントは、前記基板の一方の側のみに設けられていてもよく、その場合、基板の他方の表面を平滑にすることができる。あるいは、基板の集音部が設けられていない側の面からは中空軸部材が一部突出する構成であってもよい。【００２２】
本発明にかかる防音板は、前記中空軸が基板を貫通し、中空軸の少なくとも一端に集音部が設けられた構造であってもよい。【００２３】
前記基板は互いに平行な第１と第２の基板を含み、前記中空軸部材は前記第１と第２の基板を貫通して設けられている構造であってもよい。【００２４】
前記第１と第２の基板は、同一素材、同一寸法のものであってもよいが、必ずしもこれらに限定されない。第１と第２の基板は、前記中空軸部材によって連結されている構造をとることができる。あるいは、第１と第２の基板は、減衰エレメントによって連結されている構造であってもよい。第１と第２の基板の間には空間が存在してもよいし、当該空間は基板と同一または異なる材料によって充填されて、一体化したものであってもよい。【００２５】
前記基板は互いに平行な第１と第２の基板を含み、前記集音部は２つの基板の外に突出しないよう第１と第２の基板の表面の間に収容されていてもよい。この場合は、防音板の片面あるいは両面を平滑な表面にすることができる。【００２６】
前記集音部の形状は、球面状、楕円面状、パラボリック、円錐状の何れかであるのが好適であるが、形状はこれらの何れかに限定されない。また、基板面に垂直な軸を含む断面は、基板からの距離が増大した場合に直径が増大する曲線であってもよいが、基板からの距離がさらに増大すると逆に直径が減少する曲線、つまり、集音面が口の小さな花瓶状の空間を形成する形状であってもよい。【００２７】
前記集音部の形状は、２次元における円弧、楕円、放物線、双曲線、直線を二次元面と垂直方向に移動させた軌跡からなる３次元面であって、縁部は矩形であってもよい。さらには、前記移動は二次元面と垂直方向に直線的な移動ではなく、曲線状の移動で有ってもよい。集音面は、例えば、４つの平面によって構成される倒立した四角垂、六角垂、八角錐等の形状であってもよいし、基板の面と垂直な軸を含む平面で切った断面に現れる集音面の斜面は、直線ではなく外側に膨らんだ曲線状、あるいは内側に膨らんだ曲線状であってもよい。さらに、集音面の、基板の面と平行な面で切った断面の形状は、円であってもよいが、多角形あるいは、外に膨らんだ多角形、うちの膨らんだ多角形であってもよい。【００２８】
前記集音部は、互いの縁部が接して基板の面積を実質的にすべて覆うように設けられていてもよい。特に、集音面の基板の面と平行な面で切った断面の形状が長方形または正方形の場合、集音部は基板の面積を実質的にすべて覆うように設けることが容易である。
【発明の効果】
【００２９】
上記の効果に加えて、本発明にかかる防音板によれば、自然風を含めた気体の流通が穴あり防音板を通して可能になり、窓や扉に適用する場合は、外気が過ごしやすい温度でも必要であった空調が不要となり、年間を通して大幅な省エネルギー効果を得ることができる。【００３０】
自然風を含めた気体の流通が穴あり防音板を通して可能になり、窓や扉に適用する場合は、外気が過ごしやすい温度でも必要であった空調が不要となり、年間を通して大幅な省エネルギー効果を得ることができる。【００３１】
掃除機やコンピュータ等のファン部からでる騒音も、ファン部周辺に取り付けるだけの簡単な構造で、機器の温度を一定に保ちながら防音が可能になる。この為、掃除機を稼働中に電話やテレビの音声が聞けるようになるだけでなく、幼児の話し声や異変を知らせる声も聞き取れるレベルまで騒音を下げることが可能になり、家庭内の安全性を大幅に向上させることができる。【００３２】
また、コンピュータに適用した場合には、防音ラックが不要になり、機器の温度を一定に保つ為に必要であった防音ラック内の空調用エネルギーが不要になる。更に、騒音の為に支障をきたしていたコンピュータルーム内の作業性も格段に向上する。掃除機やコンピュータ等のファン部からでる騒音も、ファン部周辺に取り付けるだけの簡単な構造で、機器の温度を一定に保ちながら防音が可能になる。【００３３】
また、コンピュータに適用した場合には、防音ラックが不要になり、機器の温度を一定に保つ為に必要であった防音ラック内の空調用エネルギーが不要になる。更に、騒音の為に支障をきたしていたコンピュータルーム内の作業性も格段に向上する。【００３４】
本発明にかかる防音板はさらに、ディーゼルエンジン、発電機、工作機械、圧延装置等の騒音源を含む産業用機器を設置した場合に、騒音源に対して必要な給排気のための気流を容易に確保し、同時に十分な防音効果を発揮して作業員の作業環境の工場あるいは外部に対する騒音の減少を図ることができる。
【図面の簡単な説明】
【００３５】
【図１】本発明の第１実施例に基づく穴あき基板
【図２】本発明の第１実施例に基づく減衰エレメントの概念図
【図３】本発明の第１実施例に基づく防音板の概念図
【図４】本発明に基づく減衰エレメントの断面図（概念）
【図５】本発明の第２実施例に基づく穴あき基板
【図６】本発明の第２実施例に基づく穴あき基板の構造を示す概念図
【図７】本発明の第２実施例に基づく穴あき基板正面および断面図
【図８】本発明の第３実施例に基づく防音版の概念図
【図９】本発明による防音効果を示すグラフ（実際の交通騒音）
【図１０】本発明による防音効果を示すグラフ（スピーカによる交通騒音の再生）
【図１１】本発明による防音効果を示すグラフ（楽器の音）
【図１２】本発明による防音効果を示すグラフ（航空機の騒音）
【図１３】本発明による防音効果を示すグラフ（音圧レベルの経時変化）
【図１４】掃除機騒音に対する防音効果テストの実験構成
【図１５】本発明による防音効果を示すグラフ（掃除機に設けた防音板）
【図１６】本発明による空気の流通効果を示すグラフ（掃除機背面温度）
【図１７】ラックマウント型コンピュータ騒音に対する防音効果テストの実験構成
【図１８】本発明による防音効果を示すグラフ（ラックマウント型コンピュータ）
【図１９】本発明による空気の流通効果を示すグラフ（ラックマウント型コンピュータ）
【図２０】オフィスでのサッシ窓における防音効果テストの実験構成
【図２１】本発明による防音効果を示すグラフ（オフィスでのサッシ窓との比較）
【図２２】本発明による空気の流通効果を示すグラフ（オフィスでのサッシ窓との比較）
【図２３】本発明における形状の効果を示すグラフ（集音部の有無等）
【図２４】本発明における形状の効果を示すグラフ（穴径比）
【図２５】本発明による防音効果を示す周波数分布図（航空機の騒音）
【図２６】本発明による防音効果を示す周波数分布図（交通騒音）
【図２７】本発明による防音効果を示すグラフ（周波数別入力）
【発明を実施するための形態】
【００３６】
以下、本発明を実施するための形態について、必要に応じて図面を参照しながら詳細に説明する。ただし、以下に記載する本発明の実施例は本発明の理解を助けるために例示するものであって、本発明は以下に記載する実施例、実験例あるいは実施形態に限定されるものではない。
【実施例１】
【００３７】
以下に、本件発明の第１の実施例について記載する。
図１は、本願発明に基づく防音板２００を構成する基板１０を示す概念図である。ここでは、基板１０は、２列に設けられた１２個の貫通孔２０を有する。参考までに各寸法を記載すれば、基板１０は図面上横方向の寸法は300mm〜450mm、貫通孔２０の直径は15〜40mm、穴のピッチは60〜180mm程度である。貫通孔２０はその名のとおり、基板１０を貫通する開口である。【００３８】
一方、図２は、本願発明に基づく減衰エレメント１００を図示する概念図である。減衰エレメント１００は中空軸部材１１０とその両端部に設けられた一対の集音部１２０を有する。集音部１２０の凹面部は集音面１２２を形成している。図２では見えないが、中空軸部材１１０の中央部には軸に沿って貫通孔１３０が形成されている。集音面１２２にも底部に貫通孔１３０が形成されており、結果的に減衰エレメント１００には中空軸部材１１０の軸に沿った貫通孔１３０が形成されている。図２においては、中空軸部材１１０の外径は集音部１２０の最大直径の１／２程度であるが、この比率は、必要に応じて、あるいは設計の最適化のために設定することができる。一般には、中空軸部材外形の集音部最大直径に対する比率は、１／８〜１／１程度の範囲であることが望ましい。また、これに限定されるものではないが、例えば、減衰エレメント１００の材質はアクリル、軸方向の長さは5〜100mm、集音部１２０の厚さは1〜10mm程度、貫通孔２０の直径は10〜50mm程度である。【００３９】
図３に、基板１０に対して減衰エレメント１００を取り付けた防音板２００を示す。基板１０に対して一方の集音部１２０の縁部を接着してあるので、減衰エレメント１００は全体として基板１０の一方の側にのみ存在する。この場合の、基板１０に形成した貫通孔２０の直径は、集音部１２０の最大径よりも小さければよく、必ずしも集音部１２０あるいは中空軸部材１１０に形成した貫通孔１３０と同一の直径である必要は無い。【００４０】
この構造を有する防音板２００に対して、空気の流れおよび音の伝播を模式的に図示したものが図４である。左側から流れてくる気流は集音面１２２によって集められて貫通孔１３０を通って防音板２００の反対側へと通過する。一方、左方向から防音板２００に到達する音波の大部分は集音部１２０の集音面１２２によって反射され、相互に干渉するが、ごく一部は貫通孔１３０を通って反対側に到達する。さらに、貫通孔１３０への入口と出口位置で断面の急激な変化に伴う音波の反射、減衰が起きる。【００４１】
図５は、本発明に基づく防音板２００の第２の実施例における２重基板３０を図示するものである。第２の実施例は、図６に示すように、基板１０が第１と第２の基盤１０および上下板３２と側面版３４とから構成される組み立て体である点において、第１の実施例とは異なる。２重基板３０の間は、空間でも良いし、防音材等他の材質が充填されている構造でも良いし、さらには、同一材料で充填されていても良い。同一材料が充填された場合には、２重基板ではなく、全体として二重基板とその間の空間を含めた厚さを有する肉厚の一枚の基板に相当する。【００４２】
さらに、図６、７に示すように、第２の実施例２１０においては、減衰エレメント１００が基板１０の厚みの中に完全に埋没している点が異なる。すなわち、減衰エレメント１００の２つの集音部１２０の外縁部は、基板１０の表面位置と実質的に同じ位置に来るように固定されている。減衰エレメント１００の形状自体は、第１の実施例と同じである。【００４３】
図８は、本発明の第３の実施例２２０を示すものである。第３の実施例では、中空軸部材１１０に相当する円筒部材１１２のみを基板１０の一方の側に固定した。つまり、パラボラ形状の集音部はない。【００４４】
［実験結果］
以下では、実施例１〜３に対して行った実験結果について記載する。
基板１０に設けた貫通孔２０の直径は４０mm、２５mm、１５mmであり、実施例では１２個の貫通孔２０を形成した。第１と第２の基盤１０は厚さ０．８mmで横４５０mm×縦１５０mmのアクリル板でできている。実施例で使用した連結する中空軸部材１１０は、アクリル製で、直径が２５mm、１８mm、１０mmで長さ１０mmであり、各々前記１０の２０の直径より小さくなっている。集音部１２０は前記貫通孔と隙間なく密着させる為の形状で、軸方向の長さは３mmである。但し、より透明度を上げたい場合はガラス製で作成することも可能であるし、貫通孔やパイプの断面形状を円形から多角形にすることも可能である。板やパイプ、及びその隙間に吸音素材を使用することで、更に防音効果を上げることもできる。【００４５】
本発明に基づく防音板２００を、窓や扉、或いは騒音を発生する機器に設置する。本件発明の場合には、基板１０（実施例２の場合には中空軸部材１１０で接続された一対の基板１０）に貫通孔２０が形成されている為、外気や機器の排気が自由に流通でき、防音された場所の温度が外気と隔離されることがなく、エントロピー増大の法則に従って外気温度と中和された温度に近づく。この為に居住空間や温度上昇を嫌う機器に対して、常時空調を施す必要がなくなり、大幅な省エネルギーを行うことができる。【００４６】
図１４は、本発明構造を実施した実験装置の例である。ボックス３００の前面開口３１０には、前記の防音板２００、若しくは穴の無い２重の基板１０をはめ込み、前面開口部との隙間をガムテープで密閉した。ボックス３００の中には音源として、スピーカである音源３２０を入れて、各種騒音を再生した。音源３２０とアンプとの接続配線はボックス３００の背面から通し、この隙間もガムテープで密閉し、道路で採取した車両騒音を鳴らした。音源３２０から発生する音の大きさは１００．７dBである。穴径を変えた防音板２００穴無し２重基板１０を入れ替えて、各板の外側３０ｃｍの地点で音を測定した。【００４７】
図１７は、図１４に示したものとほぼ同様に実験装置であるが、スピーカに代えて音源３２０としてはラックマウント型コンピュータである音源３５２を設置した点が異なる。防音板２００および開口のない２重板３３０の設置については同様である。【００４８】
図２０は、オフィスにおける防音および風通しを実験するための構成を示す図である。実際のオフィスにおいて窓のサッシを一部３つの防音板２００によって置き換えて、内外の騒音を測定した。【００４９】
以下に実験結果を示す。
以下に示す表においては、実施例１または２に示した防音板２００を新防音板と称する場合がある。密閉２重板とは、図１４等に示した、孔のない単なる２重の板である。また、防音板２００に入力される騒音を防音板２００の直前で測定したものを音源と表現した。
図９は、基板１０の貫通孔２０の直径を0（穴無）〜40mm、中空軸部材１１０の貫通孔１３０の直径を10〜25mmとし、音源として交通騒音を用いて、図１４に示した構成によって測定した結果である。ここで、新防音板としては実施例２の防音板を用いた。ただし、掃除機に変えてスピーカによって交通騒音を再生してテストを行った。【００５０】
図９に図示されているように交通騒音の音源に対して、第２の実施例の構造（新防音板）、比較例（密閉２重板）ともに２２ｄＢ以上の防音効果を発揮している。この効果は、図１０に示す鉄道騒音をスピーカで再生した場合にも同様である。音源が楽器（ピアノ、ベースおよびドラム）の場合には、図１１に図示するように、比較例である密閉２重板による防音効果が若干低下して音源との差が１５ｄＢ程度になるが、本件発明の実施例２の防音板はこの場合にも２２ｄＢの防音効果が得られる。さらに、航空機の離陸時の音源を用いた図１２の場合は、実施例２、比較例の密閉２重板ともに３０ｄＢ以上の防音効果を発揮した。つまり、本発明の実施例２の防音板の防音効果は、密閉２重板と同等以上である。【００５１】
図１３は、交通騒音の場合を例に、音源と防音板を通した騒音の音圧レベルの経時変化を示したグラフである。図１３に示されているように、音源の音圧レベルにかかわらず常に２２ｄＢ強の防音効果が得られている。【００５２】
すなわち、上記の測定結果は、本件発明の実施例２による防音効果は、開口のない密閉２重板と同等以上であることを明瞭に示すものである。【００５３】
図１４は、掃除機に対する防音効果を確認するために行った実験装置の構成を示す概念図である。音源である音源３２０をボックス３００に収容して、前面開口３１０に防音板２００を装着した場合と密閉２重板３３０を装着した場合での、ボックス３００外部での騒音レベルを測定した。また、併せて、音源３２０前面での温度を測定することで空気の流通効果を評価した。【００５４】
図１５は、ボックス３００の前面開口３１０を開放した場合と、第１の実施例による防音板２００を装着した場合、防音板２００に代えて開口の無い密閉２重板（密閉２重板）で前面開口３１０を塞いだ場合のボックス３００前面の騒音を測定した結果である。前面開口３１０を開放した場合のボックス３００前面の騒音が９８ｄＢであったのに対して、実施例２および前面を開口の無い２重板（密閉２重板）で塞いだ場合ともに約７７ｄＢと、２０ｄＢ強の防音効果が発揮されている。すなわち、この実験においても、前面開口３１０に第２の実施例を設置した場合の防音効果は、開口のない２重板（密閉２重板）と完全に同等あるいはそれ以上である。【００５５】
その際の電気掃除機前面での温度を測定した結果を図１６に示す。外気温度が２１．７°Ｃであったのに対して、実施例２の場合には２９．８°Ｃ、前面開口３１０を密閉２重板で塞いだ場合は３２．９°Ｃであった。前面開口３１０を開放した場合の２６．５°Ｃに比較すれば、実施例２の場合には温度がやや高くなっているものの、顕著な上昇というほどではなく、十分な換気が行われていることが示されている。これに対して前面開口３１０を密閉２重板で塞いだ場合は、当然ながら換気が行われないためにボックス３００内部の温度上昇は顕著である。
すなわち、実施例２の防音板２００は、開口の無い密閉２重板と同等以上の防音性能を有しかつ、前面を全面開口した場合に近い換気を実現することができている。【００５６】
図１７は、電気掃除機に代えてラックマウント型コンピュータをボックス３５０に収容して、同様にボックス前面３５２に防音板２００を設置した場合、開口の無い密閉２重板でボックス前面３５２を塞いだ場合について騒音と温度を測定した実験系を示す図である。【００５７】
この場合にも、図１８に示すように、本件発明の実施例２による防音効果は１４ｄＢであり、開口の無い密閉２重板でボックス前面３５２を完全に閉じた場合以上の防音効果があることが示された。【００５８】
この場合の温度上昇を図１９に示す。室温が２１．７°Ｃであったのに対して、３５２を完全に開放した場合とボックス前面３５２に防音板２００を設置した場合はいずれも２６．１°Ｃであり、温度上昇はごくわずかである。これに対して、ボックス前面３５２を開口の無い密閉２重板で塞いだ場合には温度が２７．１°Ｃまで上昇している。つまり、本実験においても、本発明の実施例２の構造においては、温度上昇抑制効果はボックス前面３５２の全面開放に匹敵する。【００５９】
さらに、オフィス建物の窓に本発明の実施例１に基づく防音板２００を設置して室外の騒音がどの程度防音されるかを計測した。図２０はその際の計測系の概念を示す図である。【００６０】
図２１に窓の外と内での騒音レベル測定結果を示す。窓外の騒音レベルが７０．７ｄＢであったのに対して、サッシ窓を完全に閉め切った場合の室内騒音レベルは５７．７ｄＢに低下する。これに対して、本発明の実施例１による防音板２００を窓に設けた場合、驚くべきことにサッシ窓を完全に閉め切ったよりも防音効果が大きく、室内の騒音レベルは５４．９ｄＢに低下した。【００６１】
図２２は、上記の状態で長時間測定した室温を示したグラフである。外気温が２１．９°Ｃであったのに対して、サッシ窓を閉め切った場合の室温は２４．７°Ｃまで上昇したが、本発明の実施例１を用いた場合には室温は２２．５°Ｃ間でしか上昇しておらず、外気温に対する温度上昇はごくわずかである。【００６２】
一方、図２３は、本発明の第１の実施例による防音板の集音部の形状を変化させて防音効果を測定した結果である。音源の騒音レベルが１０９ｄＢ、開口の無い密閉２重板を通した騒音レベルが７８．８１ｄＢであったのに対して、本発明の実施例１による場合（新防音板）は７８．５２ｄＢ、実施例２による場合（２重構造新防音板）は７８．０９ｄＢであり、いずれも開口の無い密閉２重板以上の防音効果を発揮している。実施例１においては基板に設けた穴の直径は４０ｍｍ、円筒パイプの穴の直径は１５ｍｍであった。グラフに示すパイプなし穴径１５およびパイプ有り穴径１５はいずれも板の穴、円筒パイプともに穴の直径が１５ｍｍである。【００６３】
図２４は、集音面の最大直径と貫通孔の直径を変数（穴径比）として実施例１による防音効果を測定した結果を示す。穴径比が１５０％から４００％になるに従って防音効果は大きくなることが読み取れる。【００６４】
図２５は、開口の無い２重密閉板と実施例１（グラフでは「新防音板」と記載）の航空機騒音に対する騒音低減効果を周波数レベルで比較したものである。図２５に示されているように、実施例１の効果は１００Ｈｚ以下の低周波数および、１０００Ｈｚ以上の中高周波数において顕著である。この傾向は、図２６に示す交通騒音を対象とした場合も同様である。【００６５】
これに対して、図２７は、４種の周波数を有する正弦波に対する防音効果を比較したものである。図２５、２６に示されていたのと同様に、正弦波に対しても、１００Ｈｚ、１０００Ｈｚ、および５０００Ｈｚに対する低減効果が大きいが、５００Ｈｚに対して低減効果が顕著ではなかった。【００６６】
防音板及び円筒パイプはアクリル製、扇形パイプはシリコンゴム製若しくはアクリル、又は粉体成型品にゴム塗装したものでテストを行った。扇形パイプをアクセル製の硬質なものでMAX音圧を測定したところ、シリコンゴム製とは大差がないことは確認することができた。上記以外の材質、例えばコンクリート、鉄、ポリカーボネート、ポリエチレン等のプラスチック系材料であっても前記同様の効果を期待することができる。【００６７】
以下ではさらに、実施例２の構造について行った種々に実験結果である。実験条件の詳細については前記実施例１に対する実験と同様である。実験に用いた構造の各種寸法を表１に示す。
【表１】
2012086680.tif 000003
【００６８】
それぞれの構造形状での防音効果を表２に示す。
【表２】
2012086680.tif 000004
【００６９】
表２の番号０は前記穴無し２重構造板であり、外気との流通が遮断される２重窓を想定したものである。番号１から６は貫通孔があり、貫通孔間をパイプで連通した前記穴あり防音板であり、番号７から９は貫通孔間に連通するパイプがない穴あり２重構造板である。表から、貫通孔間にパイプを連通した穴あり防音板全てにおいて、穴無し２重構造板以上の防音効果のあることがわかる。貫通孔を連通するパイプがない場合は、穴無し２重構造板以上の効果はない。【００７０】
実験構成は図１４と同様であり、音源として市販の電気掃除機を、前記スピーカーの代わりに、排気口が前面窓に向くように音源箱に挿入した。スピーカーの実施例と同様に、前記穴あり防音板か、穴無し２重構造板をはめ込み、隙間をガムテープで密閉した。掃除機との電源コードは音源箱の背面から通し、この隙間もガムテープで密閉した。騒音測定は排気口から出口方向３０cmの地点で行った。また、掃除機の運転開始から５分後の音源箱内の温度を測定した。使用した穴あり防音板は、穴径（外側×内側＝４０×２５）、パイプ径１８mmである。室温は２１．８℃であった。測定結果を表３に示す。【００７１】
【表３】
2012086680.tif 000005
【００７２】
この場合でも、穴あり防音板には、穴無し２重構造板と同等かそれ以上の防音効果が見られる。掃除機のように、ファンのある機器は稼動時の温度を一定に保つことが重要となるが、穴無し２重構造板はふた開放時に比べ６．４°Ｃ高いのに対し、穴あり防音板では３．３°Ｃのみの上昇となっており、機器の温度上昇を抑えながら防音効果が得られることが明らかである。【００７３】
本発明構造装置をファンの排気口周辺に磁石やマジックテープ（登録商標）で簡単に取り外しができるようにすれば、個々の掃除機用に製造する必要が無くなり、安価に提供が可能となる。【００７４】
次に、図２０に示す実験構成と同様に、穴あり防音板をオフィスの窓に設置した。横１４００mm×縦１８００mmのサッシ窓の右片側に、防音板２００を縦方向に３個設置した。使用した穴あり防音板の穴径は、窓外側×内側＝４０×２５mm、パイプ径は１８mmである。穴あり防音板とサッシとの隙間はガムテープで密閉した。【００７５】
騒音測定は、サッシ窓、若しくは穴あり防音板から部屋側１０cmの位置で、１時間に６回行った。各測定値の最大値の平均と最大値を表４にまとめた。また、それを表５にグラフとしてまとめた。最大値の平均とは、測定毎の最大値の全平均を意味し、最大値とは全測定間の最大値を意味する。温度はサッシ窓の外側１０ｃｍの地点と、サッシ窓及び穴あり防音板から室内方向に１０cmの地点で測定した。【００７６】
【表４】
2012086680.tif 000006
【００７７】
【表５】
2012086680.tif 000007
【００７８】
防音板２００ではサッシ窓の外に較べて、１５dB以上の明らかな防音効果が確認できる。温度もサッシ窓遮蔽時に比較して、明らかに外気温度に近くなっており、空気の流通による温度中和の生じていることがわかる。実際の体感では自然な風を感じることができる為か、測定温度以上の涼しさや開放感も感じられた。この時の外気風量は殆ど感じられない程度の微風であった。室内温は２４．９℃と、空調を必要とするぎりぎりの温度であったが、本発明の防音板を設置した窓際の席ではその必要性を感じなかった。【００７９】
穴あり防音板の設置面積を大きくすることで、更に外気温との差を縮めることができる。また、サッシ窓と併用すれば、空調が必要な場合にはサッシ窓を遮蔽し、不要な場合にはサッシを開放することで、手軽に空調エネルギーを削減することが可能となる。【００８０】
図１７にしたがってコンピュータに適用した。ラックマウント型コンピュータのファン部の周りに設置した枠に、穴あり防音板または穴無し２重構造板を取り付けた。隙間はガムテープで密閉した。コンピュータは２４時間運転を継続している。測定値はファン部から排気方向１０cmの地点での１０分間の音の最大値と、枠内のファン部横５cm地点の温度である。測定結果を表６に示す。【００８１】
【表６】
2012086680.tif 000008
【００８２】
他の実施例と同様、穴あり防音板は、穴無し２重構造板と同等かそれ以上の防音効果がある。また、ファン周辺の温度も開放時と同じであり、空気の流通が充分にあることを確認できる。【００８３】
通常、ラックマウント型コンピュータは共通のラックに収納する設計になっており、ファン部周辺の形状も同じものが多い為、本発明構造を大量に生産することができ、安価に提供することが可能となる。【００８４】
上記実験の結果、以下のような傾向を読み取ることができる。すなわち、板の穴径／「円筒パイプ」の穴径（穴径比）、が150〜400%の範囲で、比率が高くなる程防音効果が大きい。板の穴面積／板の総面積、の比（開口率）は、4%〜30%で効果が見られた。アールはR/パイプ外形比＝1.25〜0.5がよい。実際には外形40mmの場合にRは20〜40mm（半径）でテストしている。「円筒パイプ」のみの場合でも多少の防音効果が見られるが、その効果は小さい。板に前述の穴を開けただけでも多少の防音効果が見られるが、その効果は小さい等である。【００８５】
騒音の種類は、自動車音が集音されている交通騒音、ジェット機のエンジン音（離陸時）、鉄道車両の通過音、及びピアノ、ベース、ドラムで構成される音楽について採取したものを、各々80〜120dBに調整し、スピーカを使用しテストした。結果は全てにおいて、（若干の差異はあるものの）、同様の効果が認められた。【００８６】
テストは、アクリル及び表面をゴム塗装したもので行った。これら以外のガラス、PET樹脂等のプラスチックでも同様の効果が得られると考える。但し、窓に設置する場合には採光効果も得たいので、透明若しくは着色された半透明の材質である方が望ましいと考える。また、条件によっては基板にコンクリート、鉄筋コンクリート、鋼鉄等重量及び音波減衰能力の大きな材料を使うことが好適な場合があり、その場合に減衰エレメントが基板から突出しないように基板内に埋め込むことが好適な場合がある。また、この場合にも２重基板あるいは減衰エレメントを埋設する厚みを有する基板を用いることが好ましい場合がある。ポリカーボネート、ポリエチレン、ポリアクリレート等のプラスチック系部材を用いることができることは言うまでもない。【００８７】
また、形状に関しては、
１）1枚の板に開けられた直径15mm以上40mm以下の複数の穴の各々に、「扇形の空洞パイプ」をつけた空気の流通効果がある防音板。「扇形の空洞パイプ」とは、直径10mm以上30mm以下で長さ5mm以上の「円筒パイプ」の両端にアール（なだらかな曲線）をもった、広い方の直径が15mm以上40mm以下の「ラッパ状パイプ（朝顔管形状）」であり、この片端を前述の板の穴に接続する。
２）上記の板に取り付けられた「扇形の空洞パイプ」のもう一方の端を、前述と同様の板に開けられた穴に取り付け、板間の隙間を密閉した２重構造の防音板の場合も、同様の効果が得られると考えられる。
【符号の説明】
【００８８】
１０、３０    基板
２０          貫通孔
３２          上下板
３４          側面板
１００        減衰エレメント
１１０        中空軸部材
１２０        集音部
１２２        集音面
１３０        貫通孔
２００        防音板
【図１】
2012086680.tif 000009
【図２】
2012086680.tif 000010
【図３】
2012086680.tif 000011
【図４】
2012086680.tif 000012
【図５】
2012086680.tif 000013
【図６】
2012086680.tif 000014
【図７】
2012086680.tif 000015
【図８】
2012086680.tif 000016
【図９】
2012086680.tif 000017
【図１０】
2012086680.tif 000018
【図１１】
2012086680.tif 000019
【図１２】
2012086680.tif 000020
【図１３】
2012086680.tif 000021
【図１４】
2012086680.tif 000022
【図１５】
2012086680.tif 000023
【図１６】
2012086680.tif 000024
【図１７】
2012086680.tif 000025
【図１８】
2012086680.tif 000026
【図１９】
2012086680.tif 000027
【図２０】
2012086680.tif 000028
【図２１】
2012086680.tif 000029
【図２２】
2012086680.tif 000030
【図２３】
2012086680.tif 000031
【図２４】
2012086680.tif 000032
【図２５】
2012086680.tif 000033
【図２６】
2012086680.tif 000034
【図２７】
2012086680.tif 000035
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
複数の貫通孔を形成した基板と、
中央に前記基板の貫通孔と中心が略一致する貫通孔を有し、基板からの距離の増大とともに直径が増大する形状を有し、前記基板の外部に設けられた集音部とを有する防音板。
【請求項２】
前記集音部が前記基板の両面に設けられた請求項１に記載の防音板。
【請求項３】
複数の貫通孔を形成した基板と、
中空軸部材と、中空軸部材の端部に固定された集音部であって、中央に当該中空軸部材の中空部と中心が略一致する貫通孔を有し、中空軸部材からの距離の増大とともに直径が増大する形状の集音部とを有する減衰エレメントを有し、
前記中空軸部材の中心が前記貫通孔の中心と略一致するように基板に設けられた請求項１または２に記載の防音版。
【請求項４】
前記減衰エレメントは、中空軸部材と、中空軸部材の両端に設けられた一対の集音部とを有する請求項３に記載の防音版。
【請求項５】
前記減衰エレメントが前記基板の一方の側に設けられた請求項３または４に記載の防音版。
【請求項６】
前記中空軸部材が基板を貫通し、中空軸部材の少なくとも一端に集音部が設けられた請求項３ないし５の何れかに記載の防音版。
【請求項７】
（削除）
【請求項８】
（削除）
【請求項９】
前記集音部の形状は、球面状、楕円面状、パラボリック、円錐状の何れかである請求項１ないし６の何れかに記載の防音版。
【請求項１０】
前記集音部の形状は、２次元における円弧、楕円、放物線、双曲線、直線を二次元面と垂直方向に移動させた軌跡からなる３次元面であって、縁部は矩形である請求項１ないし７の何れかに記載の防音版。
【請求項１１】
前記集音部は、互いの縁部が接して基板の面積を実質的にすべて覆うように設けられた請求項８に記載の防音版。
【国際調査報告】
2012086680.tif 000036
2012086680.tif 000037
2012086680.tif 000038